(57)【要約】【課題】 取付け時の工数を少なくするとともに、左右のスリンガーが異なる形状である場合の誤組込みをなくすことができるプーリ用軸受装置を提供する。【解決手段】  左のスリンガー13が円筒部13aおよびフランジ部13bからなる断面Ｌ字状とされ、その円筒部13aが左の玉軸受11の内輪21に嵌め合わされている。右のスリンガー14も円筒部14aおよびフランジ部14bからなる断面Ｌ字状とされ、その円筒部14aが右の玉軸受12の内輪21に嵌め合わされている。プーリ本体2にこのプーリ用軸受装置1を組み込むに際しては、スリンガー13,14が予め取り付けられた左右の玉軸受11,12を順次圧入していくだけでよい。【選択図】    図１
2005337383.tif 000002
【特許請求の範囲】
【請求項１】
内輪、外輪および両輪の中央部間に配された転動体を有する転がり軸受と、転がり軸受の左右両側に配置されたスリンガーからなり、外輪がプーリ本体内に圧入されるとともに、軸方向外側からボルトで締め付けることによって内輪およびスリンガーを固定するプーリ用軸受装置において、少なくとも軸方向外側に位置するスリンガーが円筒部およびフランジ部からなる断面Ｌ字状とされ、その円筒部が内輪に嵌め合わされていることを特徴とするプーリ用軸受装置。
【請求項２】
転がり軸受は、２列の玉軸受からなる請求項１のプーリ用軸受装置。
【請求項３】
軸方向内側に位置するスリンガーも円筒部およびフランジ部からなる断面Ｌ字状とされ、その円筒部が内輪に嵌め合わされている請求項１または２のプーリ用軸受装置。
【請求項４】
プーリ本体に、軸受圧入時の位置決めをするための内向きフランジ部が設けられており、軸方向内側に位置するスリンガーのフランジ部の外径は、プーリ本体の内向きフランジ部の内径よりも小さくなされている請求項３のプーリ用軸受装置。
【請求項５】
プーリ本体に、軸受圧入時の位置決めをするための内向きフランジ部が設けられており、軸方向内側に位置するスリンガーは、孔あき円板状とされて、その外径がプーリ本体の内向きフランジ部の内径よりも大きくなされている請求項１または２のプーリ用軸受装置。
【発明の詳細な説明】
【技術分野】
【０００１】
この発明は、例えば、テンションプーリやアイドラプーリに使用されるのに好適なプーリ用軸受装置に関する。
【背景技術】
【０００２】
自動車のエンジン補機アイドラプーリで使用されている軸受は、軸受内に水が浸入することによって破損するという破損モードが多く、そこで、転がり軸受の片側もしくは両側に密封板（スリンガー）を設けることが知られている（特許文献１）。
【０００３】
これらの転がり軸受およびスリンガーは、別体とされており、例えば、右のスリンガー、転がり軸受、左のスリンガーの順にプーリ本体に嵌め入れられ、最後に、ボルトで締め付けることによって、これらを固定している。
【特許文献１】実開平５−３７１９号公報
【発明の開示】
【発明が解決しようとする課題】
【０００４】
上記従来のプーリ用軸受装置では、取付け時の工数がかかるだけでなく、左右のスリンガーが異なる形状である場合、誤組込みの可能性があるという問題もあった。
【０００５】
この発明の目的は、取付け時の工数を少なくするとともに、左右のスリンガーが異なる形状である場合の誤組込みをなくすことができるプーリ用軸受装置を提供することにある。
【課題を解決するための手段】
【０００６】
この発明によるプーリ用軸受装置は、内輪、外輪および両輪の中央部間に配された転動体を有する転がり軸受と、転がり軸受の左右両側に配置されたスリンガーからなり、外輪がプーリ本体内に圧入されるとともに、軸方向外側からボルトで締め付けることによって内輪およびスリンガーを固定するプーリ用軸受装置において、少なくとも軸方向外側に位置するスリンガーが円筒部およびフランジ部からなる断面Ｌ字状とされ、その円筒部が内輪に嵌め合わされていることを特徴とするものである。
【０００７】
この発明によるプーリ用軸受装置は、アイドラプーリまたはテンションプーリと組み合わされて使用されることが好ましい。この場合に、プーリ本体は、例えば、小径部および大径部を有するものとされ、その大径部の外径にベルトが巻きかけられ、転がり軸受の外輪が小径部内径に圧入固定される。また、スリンガーは、左右で異なる形状とされることが好ましい。
【０００８】
転がり軸受は、２列の玉軸受からなることが好ましく、シール性向上のため、各玉軸受には、その両側にシール部材が設けられることがより好ましい。
【０００９】
軸方向内側に位置するスリンガーは、孔あき円板状であってもよく、また、軸方向外側に位置するスリンガーと同様に、円筒部およびフランジ部からなる断面Ｌ字状とされ、その円筒部が内輪に嵌め合わされているようにしてもよい。前者の場合には、孔あき円板状スリンガー、軸方向内側の玉軸受、軸方向外側のスリンガー付き玉軸受の順にプーリ本体に嵌め入れられて、ボルトで固定され、後者の場合には、軸方向内側のスリンガー付き玉軸受、軸方向外側のスリンガー付き玉軸受の順にプーリ本体に嵌め入れられて、ボルトで固定される。
【００１０】
スリンガーの軸受への取付けは、例えば、圧入によって行われる。この圧入は、ボルト締め込みまでの間スリンガーを軸受に保持させておくためのものであり、それほどきつい嵌め合いとする必要はない。また、スリンガーの円筒部が弾性変形することでその弾性力によって内輪を保持するものとしてもよい。
【００１１】
プーリ本体には、軸受（外輪）圧入時の位置決めをするための内向きフランジ部が設けられる。そして、軸方向内側に位置するスリンガーについては、その形状が断面Ｌ字状の場合には、そのフランジ部の外径がプーリ本体の内向きフランジ部の内径よりも小さくなされていることが好ましく、また、孔あき円板状の場合には、その外径がプーリ本体の内向きフランジ部の内径よりも大きくなされていることが好ましい。
【発明の効果】
【００１２】
この発明のプーリ用軸受装置によると、少なくとも軸方向外側に位置するスリンガーが円筒部およびフランジ部からなる断面Ｌ字状とされ、その円筒部が内輪に嵌め合わされているので、２つのスリンガーを軸受とは別に組み込む場合に比べて、取付け時の工数を少なくすることができる。しかも、予め、少なくとも一方のスリンガーを軸受に組み込んでおくことで、左右のスリンガーが異なる形状である場合の誤組込みをなくすことができる。
【発明を実施するための最良の形態】
【００１３】
この発明の実施の形態を、以下図面を参照して説明する。
【００１４】
図１は、この発明のプーリ用軸受装置の第１実施形態を示している。以下の説明において、左右は、図１の左右をいうものとする。
【００１５】
この実施形態のプーリ用軸受装置(1)は、アイドラプーリのボルト締め込みタイプに使用するのに好適なもので、金属製プーリ本体(2)に組み込まれて、ボルト(3)によりブラケット(4)に固定される。
【００１６】
軸受装置(1)は、左右２列の深溝型玉軸受(11)(12)と、左の玉軸受(11)に取り付けられた左のスリンガー(13)と、右の玉軸受(12)に取り付けられた右のスリンガ(14)とからなる。
【００１７】
左右の玉軸受(11)(12)は、同じ形状とされており、それぞれ、内輪(21)、外輪(22)、両輪(21)(22)の中央部間に配された玉（転動体）(23)、玉(23)を保持する保持器(24)、および両輪(21)(22)の左右端部間に配された左右シール部材(25)を有している。
【００１８】
プーリ本体(2)は、互いに同心の小径部(2a)および大径部(2b)を有しており、小径部(2a)の右端部には、位置決め用内向きのフランジ部(2c)が設けられている。左右の玉軸受(11)(12)の外輪(22)は、小径部(2a)内径に左方から圧入されて、位置決め用内向きフランジ部(2c)により位置決めされている。
【００１９】
各シール部材(25)は、同一形状とされて、対称状に配置され、その外周縁部が外輪(22)の環状溝に嵌合され、その内周縁部が内輪(21)の環状溝に摺接している。
【００２０】
左のスリンガーすなわち軸方向外側に位置するスリンガー(13)は、円筒部(13a)およびフランジ部(13b)からなる断面Ｌ字状とされ、その円筒部(13a)が左の内輪(21)の内径に左方から嵌め合わされている。同様に、右のスリンガーすなわち軸方向内側に位置するスリンガー(14)も円筒部(14a)およびフランジ部(14b)からなる断面Ｌ字状とされ、その円筒部(14a)が右の内輪(21)の内径に右方から嵌め合わされている。
【００２１】
左のスリンガー(13)のフランジ部(13b)の外径は、プーリ本体(2)の小径部(2a)の内径よりもわずかに小さく形成され、右のスリンガー(14)のフランジ部(14b)の外径は、プーリ本体(2)の位置決め用内向きフランジ部(2c)の内径よりも若干小さく形成されている。この結果、左右のスリンガー(13)(14)は、左のスリンガー(13)の外径が右のスリンガー(14)の外径よりも大きい非対称形状とされている。
【００２２】
この実施形態のプーリ用軸受装置によると、左右のスリンガー(13)(14)が予め左右の玉軸受(11)(12)の内輪(21)に固定されることで径方向の位置決めが行われるので、左のスリンガー(13)のフランジ部(13b)の外径とプーリ本体(2)の小径部(2a)の内径との間および右のスリンガー(14)のフランジ部(14b)の外径とプーリ本体(2)の位置決め用内向きフランジ部(2c)との間の径方向ラビリンスを小さくすることができ、シール性を向上させることができる。また、プーリ本体(2)にこのプーリ用軸受装置(1)を組み込むに際しては、スリンガー(13)(14)が予め取り付けられた左右の玉軸受(11)(12)を順次圧入していくだけでよいので、容易に組み込むことができ、しかも、スリンガー(13)(14)の誤組込みを防止することも容易となる。
【００２３】
図２は、この発明のプーリ用軸受装置の第２実施形態を示している。以下の説明において、第１実施形態と同じ構成のものには、同じ符号を付してその説明を省略する。
【００２４】
第２実施形態の軸受装置(1)は、第１実施形態のものと右のスリンガーの形状が異なっている。同図に示すように、この実施形態の右のスリンガー(15)は、孔あき円板状とされ、右の玉軸受(11)の内輪(26)に予め嵌め合わせておくのではなく、左右の玉軸受(11)(12)の圧入前にプーリ本体(2)内に挿入されるようになされている。これに伴い、右の玉軸受(12)の内輪(26)の半径は、左の玉軸受(11)の内輪の半径に比べて、左のスリンガー(13)の円筒部(13a)の厚み分だけ小さくなされている。さらに、プーリ本体(2)の内向きフランジ部(2c)が段付き状に形成され、右のスリンガー(15)の外径は、この内向きフランジ部(2c)の内径よりも大きくなされている。
【００２５】
第２実施形態のプーリ用軸受装置(1)によると、左のスリンガー(13)が予め左の玉軸受(11)の内輪(21)に固定されることで径方向の位置決めが行われるので、左のスリンガー(13)のフランジ部(13b)の外径とプーリ本体(2)の小径部(2a)の内径との間の径方向ラビリンスを小さくすることができ、シール性を向上させることができる。また、径方向の位置決め精度が左のスリンガー(13)よりも劣っている右のスリンガー(15)については、その外径がプーリ本体(2)の内向きフランジ部(2c)よりも大きくなされていることで、ラビリンスシール性が向上させられている。また、プーリ本体(2)にこのプーリ用軸受装置(1)を組み込むに際しては、右のスリンガー(15)の挿入、右の玉軸受(12)の圧入、スリンガー(13)が予め取り付けられた左の玉軸受(11)の圧入という順に作業していくだけでよいので、容易に組み込むことができ、しかも、スリンガー(13)(15)の誤組込みを防止することも容易となる。
【図面の簡単な説明】
【００２６】
【図１】この発明によるプーリ用軸受装置の第１実施形態を示す縦断面図である。
【図２】この発明によるプーリ用軸受装置の第２実施形態を示す縦断面図である。
【符号の説明】
【００２７】
(1)           プーリ用軸受装置
(2)           プーリ本体
(2c)          内向きフランジ部
(3)           ボルト
(11)(12)      転がり軸受
(13)(14)(15)  スリンガー
(13a)(14a)    円筒部
(13b)(14b)    フランジ部
(21)(26)      内輪
(22)          外輪
(23)          玉（転動体）
【図１】
2005337383.tif 000003
【図２】
2005337383.tif 000004